(57)【特許請求の範囲】
【請求項１】
放送番組を受信する第１チューナから出力される第１映像データと、外部装置から供給される第２映像データとを切り換えて表示部に表示するデータ出力装置に上記第２映像データを供給するデータ供給装置において、
放送番組を受信する第２チューナと、
上記第２チューナで受信した放送番組の映像データと、自装置で実行されるアプリケーションプログラムによって生成される映像データとを含む映像データを、上記第２映像データとして上記データ出力装置へ送信するデータ送信手段と、
上記第２チューナが受信している放送番組と同じ放送番組を上記第１チューナに受信させるための受信番組情報と、上記第２映像データに換えて上記第１映像データを上記表示部に表示させるための切換情報とを上記データ出力装置に送信する連携制御手段とを備えていることを特徴とするデータ供給装置。
【請求項２】
上記連携制御手段は、上記表示部に表示する対象を、第２映像データから第１映像データに切り換えるユーザ操作を確認したときに、上記受信番組情報と上記切換情報とを上記データ出力装置に送信することを特徴とする請求項１に記載のデータ供給装置。
【請求項３】
上記表示部に表示する対象を、第２映像データから第１映像データに切り換えるユーザ操作は、第２映像データが上記表示部に表示されているときに、上記第２チューナで受信した放送番組の映像データに基づいて表示されている映像を選択する操作であることを特徴とする請求項２に記載のデータ供給装置。
【請求項４】
上記連携制御手段は、第１チューナが受信する番組の音声モード及び字幕モードの少なくとも一方を指定するモード切換情報を上記データ出力装置に送信することを特徴とする請求項１から３の何れか１項に記載のデータ供給装置。
【請求項５】
放送番組を受信する第１チューナから出力される第１映像データと、外部装置から供給される第２映像データとを切り換えて表示部に表示するデータ出力装置に上記第２映像データを供給するデータ供給装置において、
放送番組を受信する第２チューナと、
上記データ出力装置が上記第１映像データに換えて上記第２映像データを上記表示部に表示することを通知する切換情報と、上記データ出力装置が上記第１チューナにて受信して上記表示部に表示している放送番組を示す受信番組情報とを受信する番組情報受信手段と、
上記番組情報受信手段が、上記切換情報及び受信番組情報を受信したときに、上記第２チューナに上記受信番組情報が示す放送番組を受信させる連携制御手段と、
上記第２チューナで受信した放送番組の映像データと、自装置で実行されるアプリケーションプログラムによって生成される映像データとを含む映像データを、上記第２映像データとして上記データ出力装置へ送信するデータ送信手段とを備えていることを特徴とするデータ供給装置。
【請求項６】
上記連携制御手段は、上記表示部に表示する対象を、第１映像データから第２映像データに切り換えるユーザ操作を確認したときに、上記データ出力装置に上記受信番組情報の送信を要求する受信番組要求情報を送信することを特徴とする請求項５に記載のデータ供給装置。
【請求項７】
上記連携制御手段は、上記第２チューナが受信する放送番組の音声モード及び字幕モードの少なくとも一方を指定するモード切換情報を受信し、受信したモード切換情報に基づいて、上記第２チューナが受信する放送番組の音声モード及び字幕モードの少なくとも一方を設定することを特徴とする請求項５または６に記載のデータ供給装置。
【請求項８】
第１チューナで受信した放送番組の第１映像データと、第２チューナを備えるデータ供給装置から供給される第２映像データとを切り換えて表示部に表示するデータ出力装置であって、
上記第１チューナと、
上記表示部と、
上記データ供給装置が上記第２チューナにて受信した放送番組の映像データと、該データ供給装置においてアプリケーションプログラムによって生成される映像データとを含む映像データを、上記第２映像データとして受信する番組受信手段と、
上記番組受信手段がデータ供給装置から受信した上記第２映像データに含まれる放送番組を示す受信番組情報と、上記第２映像データに換えて上記第１映像データを上記表示部に表示させるための切換情報とを受信する番組情報受信手段と、
上記番組情報受信手段が受信した上記受信番組情報が示す放送番組を上記第１チューナに受信させて得た第１映像データを、上記番組受信手段が受信した上記第２映像データに換えて上記表示部に表示する出力制御手段とを備えていることを特徴とするデータ出力装置。
【請求項９】
第１チューナで受信した放送番組の第１映像データと、第２チューナを備えるデータ供給装置から供給される第２映像データとを切り換えて表示部に表示するデータ出力装置であって、
上記第１チューナと、
上記表示部と、
上記第１映像データに換えて上記第２映像データを上記表示部に表示することを通知する切換情報と、上記第１チューナにて受信して上記表示部に表示している放送番組を示す受信番組情報とを上記データ供給装置に送信する受信番組情報送信手段と、
上記受信番組情報送信手段が送信した上記切換情報及び受信番組情報を受信した上記データ供給装置が、該受信番組情報に基づいて上記第２チューナにて受信した放送番組の映像データと、該データ供給装置においてアプリケーションプログラムによって生成される映像データとを含む映像データを、上記第２映像データとして受信する番組受信手段と、
上記番組受信手段で受信した上記第２映像データを、上記第１映像データに換えて上記表示部に表示する出力制御手段とを備えていることを特徴とするデータ出力装置。
【請求項１０】
請求項１から４の何れか１項に記載のデータ供給装置と、請求項８に記載のデータ出力装置とを含むデータ出力システム。
【請求項１１】
請求項５または６に記載のデータ供給装置と、請求項９に記載のデータ出力装置とを含むデータ出力システム。
【請求項１２】
放送番組を受信する第１チューナから出力される第１映像データと、外部装置から供給される第２映像データとを切り換えて表示部に表示するデータ出力装置に上記第２映像データを供給するデータ供給装置のデータ供給方法において、
上記データ供給装置は、放送番組を受信する第２チューナを備えており、
上記第２チューナで受信した放送番組の映像データと、自装置で実行されるアプリケーションプログラムによって生成される映像データとを含む映像データを、上記第２映像データとして上記データ出力装置へ送信するデータ送信ステップと、
上記第２チューナが受信している放送番組と同じ放送番組を上記第１チューナに受信させるための受信番組情報と、上記第２映像データに換えて上記第１映像データを上記表示部に表示させるための切換情報とを上記データ出力装置に送信する連携制御ステップとを含むことを特徴とするデータ供給方法。
【請求項１３】
放送番組を受信する第１チューナから出力される第１映像データと、外部装置から供給される第２映像データとを切り換えて表示部に表示するデータ出力装置に上記第２映像データを供給するデータ供給装置のデータ供給方法において、
上記データ供給装置は、放送番組を受信する第２チューナを備えており、
上記データ出力装置が上記第１映像データに換えて上記第２映像データを上記表示部に表示することを通知する切換情報と、上記データ出力装置が上記第１チューナにて受信して上記表示部に表示している放送番組を示す受信番組情報とを受信する番組情報受信ステップと、
上記番組情報受信ステップにて、上記切換情報及び受信番組情報を受信したときに、上記第２チューナに上記受信番組情報が示す放送番組を受信させる連携制御ステップと、
上記第２チューナで受信した放送番組の映像データと、自装置で実行されるアプリケーションプログラムによって生成される映像データとを含む映像データを、上記第２映像データとして上記データ出力装置へ送信するデータ送信ステップとを含むことを特徴とするデータ供給方法。
【請求項１４】
第１チューナで受信した放送番組の第１映像データと、第２チューナを備えるデータ供給装置から供給される第２映像データとを切り換えて表示部に表示するデータ出力装置のデータ出力方法であって、
上記データ出力装置は、上記第１チューナと、上記表示部とを備えており、
上記データ供給装置が上記第２チューナにて受信した放送番組の映像データと、該データ供給装置においてアプリケーションプログラムによって生成される映像データとを含む映像データを、上記第２映像データとして受信する番組受信ステップと、
上記番組受信ステップにてデータ供給装置から受信した上記第２映像データに含まれる放送番組を示す受信番組情報と、上記第２映像データに換えて上記第１映像データを上記表示部に表示させるための切換情報とを受信する切換情報受信ステップと、
上記切換情報受信ステップにて受信した上記受信番組情報が示す放送番組を上記第１チューナに受信させて得た第１映像データを、上記番組受信ステップにて受信した上記第２映像データに換えて上記表示部に表示する出力制御ステップとを含むことを特徴とするデータ出力方法。
【請求項１５】
第１チューナで受信した放送番組の第１映像データと、第２チューナを備えるデータ供給装置から供給される第２映像データとを切り換えて表示部に表示するデータ出力装置のデータ出力方法であって、
上記データ出力装置は、上記第１チューナと、上記表示部とを備えており、
上記第１映像データに換えて上記第２映像データを上記表示部に表示することを通知する切換情報と、上記第１チューナにて受信して上記表示部に表示している放送番組を示す受信番組情報とを上記データ供給装置に送信する受信番組情報送信ステップと、
上記受信番組情報送信ステップにて送信した上記切換情報及び受信番組情報を受信した上記データ供給装置が、該受信番組情報に基づいて上記第２チューナにて受信した放送番組の映像データと、該データ供給装置においてアプリケーションプログラムによって生成される映像データとを含む映像データを、上記第２映像データとして受信する番組受信ステップと、
上記番組受信ステップにて受信した上記第２映像データを、上記第１映像データに換えて上記表示部に表示する出力制御ステップとを含むことを特徴とするデータ出力方法。
【請求項１６】
請求項１から７の何れか１項に記載のデータ供給装置を動作させるためのプログラムであって、コンピュータを上記連携制御手段として機能させるためのプログラム。
【請求項１７】
請求項８または９に記載のデータ出力装置を動作させるためのプログラムであって、コンピュータを上記出力制御手段として機能させるためのプログラム。
【発明の詳細な説明】
【技術分野】
【０００１】
本発明は、データ出力装置が出力するデータを供給するデータ供給装置等に関するものである。
【背景技術】
【０００２】
従来、パーソナルコンピュータ（以下、ＰＣ）は、専用の表示装置を備えているものが一般的であったが、近年ではＰＣの表示装置としてテレビを使用するシステムが普及している。このシステムでは、テレビは、ＰＣからテレビへと送られる各種データを出力することができると共に、テレビの出力切り換えを行うことによって、テレビが受信する放送を出力することもできる。このシステムでは、ＰＣの表示装置を別途設ける必要がないので効率がよい。
【０００３】
また、近年では、地上デジタル放送やワンセグ放送（携帯電話・移動体端末向けの１セグメント部分受信サービス）等のデジタル放送サービスが提供されており、デジタルチューナを搭載してデジタル放送を受信可能にしたＰＣも普及している。このようなＰＣでは、デジタル放送を視聴しながら、ＰＣの他の機能（例えば、電子メール、インターネット接続、文書作成等）を実行させることができる。
【０００４】
ここで、上記のようなＰＣの表示装置としてテレビを使用するシステムにおいても、デジタル放送を受信可能なＰＣを用いることができる。この場合には、テレビをＰＣの表示装置として使用するとき（以下、ＰＣモードと呼ぶ）には、ＰＣが受信するデジタル放送（例えばワンセグ放送）をテレビに出力させることができる。もちろん、上記システムのユーザがテレビ視聴のみを行いたい場合には、テレビの出力の切り換えを行うことにより、テレビが受信する放送をテレビに出力させることもできる（以下、テレビモードと呼ぶ）。
【特許文献１】特開２００６‐６７１９８号公報（２００６年３月９日公開）
【発明の開示】
【発明が解決しようとする課題】
【０００５】
ここで、上記システムにおいて、ＰＣモードにてＰＣが受信している番組（例えばワンセグ放送の番組）がテレビに出力されている場合を考える。この場合に、テレビへの出力切り換えが実行されると、システムはＰＣモードからテレビモードへと切り換わり、テレビが受信している番組（例えば地上デジタル放送の番組）が出力される。
【０００６】
このときに出力される番組は、ＰＣが受信していた番組と異なる場合がある。そして、このような場合には、ＰＣからテレビへの出力切り換えによって番組の視聴が途切れてしまう。さらに、上記システムのユーザは、出力切り換え後にチャンネル操作を行って、ＰＣモードで視聴していた番組を探すという手間が必要になる。
【０００７】
これについて、図１２（ａ）〜（ｃ）に基づいて説明する。同図（ａ）はＰＣが受信した番組の映像が表示された状態を示す図である。すなわち、同図（ａ）は、ＰＣモードにおいてテレビに表示される映像の一例を示している。図示のように、テレビ１０１の表示部１０２には、ウインドウＷａ及びＷｂが表示されている。ウインドウＷａ及びＷｂは、図示しないＰＣが出力する映像信号に基づいて表示されている。ここでは、図示のように、ウインドウＷａにはウェブページが表示されており、ウインドウＷｂにはワンセグ放送の番組Ａの映像が表示されていることを想定している。
【０００８】
そして、同図（ｂ）は、テレビが受信した番組の映像が表示された状態を示す図である。すなわち、同図（ｂ）は、テレビモードにおいてテレビに表示される映像の一例を示している。図示のように、表示部１０２には、番組Ｂの映像が表示されている。このように、テレビの出力がＰＣからテレビへと切り換えられた場合には、テレビから出力される番組は、ワンセグ放送で視聴していた番組と異なることがある。
【０００９】
ここで、ユーザが番組Ａを引き続き視聴するためには、同図（ｂ）に示すように、例えばリモコンＲを用いてテレビのチャンネル操作を行う必要がある。同図（ｃ）はテレビのチャンネルが切り換え後にテレビに表示される映像の一例を示す図である。ユーザがチャンネル操作を行うことによってテレビのチューナが番組Ａを受信して、図示のように番組Ａが表示部１０２に表示される。
【００１０】
このように、従来の技術では、ＰＣモードからテレビモードに切り換えた場合に、ＰＣモードで出力されていた番組をテレビモードでも出力させるためには、選局操作が必要となることがあり、また選局操作の間には番組の視聴が中断してしまう。
【００１１】
同様に、テレビモードからＰＣモードへと切り換えを行った場合にも問題が生じる。これについて、図１３（ａ）〜（ｃ）に基づいて説明する。同図（ａ）は、テレビが受信した番組の映像が表示された状態を示す図である。図示のように、テレビ１０１の表示部１０２には番組Ａが表示されている。この番組Ａは、テレビが備えるチューナによって受信されたものである。
【００１２】
そして、同図（ｂ）は、ＰＣが受信した番組の映像が表示された状態を示す図である。すなわち、同図（ｂ）は、テレビモードからＰＣモードへと切り換えられた後にテレビに表示される映像の一例を示している。図示のように、表示部１０２のウインドウＷｂには、番組Ｂの映像が表示されている。このように、テレビモードからＰＣモードへと切り換えられた場合には、ＰＣモードで出力される番組は、テレビモードで出力されていた番組と異なることがある。
【００１３】
ここで、ユーザがＰＣモードにおいても番組Ｂを引き続き視聴するためには、同図（ｂ）に示すように、例えばキーボードＫを用いてＰＣのチャンネル操作を行う必要がある。同図（ｃ）はＰＣが受信した番組が切り換えられた後にテレビに表示される映像の一例を示す図である。ユーザがチャンネル操作を行うことによってＰＣのチューナが番組Ｂを受信して、図示のように番組Ｂが表示部１０２に表示される。
【００１４】
以上のように、上記従来のシステムでは、テレビモード及びＰＣモード間の切り換えを行った場合に、出力される番組が異なることがある。このため、出力切り換え時に番組の出力が途切れる上、ユーザは出力切り換え前と同じ番組を続けて見るためにチャンネル操作を行う必要があるという問題があった。
【００１５】
ここで、上記特許文献１では、地上デジタル放送を受信する携帯受信機と固定受信機とからなるシステムが開示されている。具体的には、特許文献１のシステムでは、携帯受信機にてあるテレビ番組を視聴しているときに、所定のボタン操作を行うと、携帯受信機で視聴しているテレビ番組の情報が固定受信機に送られるようになっている。また、特許文献１のシステムでは、固定受信機にてあるテレビ番組を視聴しているときに、所定のボタン操作を行うと、固定受信機で視聴しているテレビ番組の情報が携帯受信機に送られるようになっている。
【００１６】
これにより、特許文献１のシステムでは、簡単な操作にて携帯受信機で視聴しているテレビ番組を固定受信機で視聴することができる。これは、例えば外出中に携帯受信機で視聴していたテレビ番組を自宅等に戻ったときに固定受信機で視聴する場合に便利である。同様に、特許文献１のシステムでは、簡単な操作にて固定受信機で視聴しているテレビ番組を携帯受信機で視聴することができる。これは、例えば固定受信機で視聴していたテレビ番組を外出の際に携帯受信機で視聴する場合に便利である。
【００１７】
しかしながら、上記特許文献１の技術を、テレビをＰＣの表示装置として使用するシステムに適用した場合であっても、ＰＣからテレビへ、あるいはテレビからＰＣへの出力切り換えを行うときに同じ番組を続けて視聴するためには、ユーザがボタン操作を行う必要がある。
【００１８】
以上のように、従来の技術では、ＰＣモードからテレビモードに切り換えを行った場合や、テレビモードからＰＣモードに切り換えを行った場合に、同じ番組を続けて視聴するためには、ユーザが選局操作等を行う必要があり、また選局操作の間には番組の視聴が中断してしまうという問題があった。
【００１９】
本発明は、上記の問題点に鑑みてなされたものであり、その目的は、出力切り換えを行った場合に同じ番組を続けて視聴することのできるデータ供給装置等を実現することにある。
【課題を解決するための手段】
【００２０】
本発明に係るデータ供給装置は、上記課題を解決するために、第１チューナ及び第２チューナで受信された番組のデータの少なくとも一方を出力し、上記第１チューナを備えているデータ出力装置にデータを供給するデータ供給装置において、上記第２チューナと、上記第２チューナで受信した番組のデータを上記データ出力装置へ送信する番組データ送信手段と、上記第２チューナが受信している番組と同じ内容を含む番組のデータを上記第１チューナに受信させると共に、該受信させた番組のデータを上記データ出力装置に出力させるための番組切換情報を上記データ出力装置に送信する連携制御手段とを備えていることを特徴としている。
【００２１】
また、本発明に係るデータ供給方法は、上記課題を解決するために、第１チューナ及び第２チューナで受信された番組のデータの少なくとも一方を出力し、上記第１チューナを備えているデータ出力装置にデータを供給するデータ供給装置のデータ供給方法において、上記第２チューナで受信した番組のデータを上記データ出力装置へ送信する番組データ送信ステップと、上記第２チューナが受信している番組と同じ内容を含む番組のデータを上記第１チューナに受信させると共に、該受信させた番組のデータを上記データ出力装置に出力させるための番組切換情報を上記データ出力装置に送信する連携制御ステップとを含むことを特徴としている。
【００２２】
上記の構成によれば、第２チューナで受信した番組のデータがデータ出力装置に送信される。これにより、データ出力装置は、第２チューナが受信した番組のデータを出力することができる。
【００２３】
ここで、上記連携制御手段または連携制御ステップによって、データ供給装置からデータ出力装置へと番組切換情報が送信される。そして、番組切換情報を受信したデータ出力装置は、第２チューナが受信している番組と同じ内容を含む番組を第１チューナにて受信して出力する。
【００２４】
すなわち、上記の構成によれば、データ出力装置の出力が、第２チューナが受信している番組から第１チューナが受信している番組へと切り換わったときに、同じ内容を含む番組がデータ出力装置から出力される。
【００２５】
したがって、上記データ供給装置のユーザは、データ出力装置の出力を第２チューナが受信している番組から第１チューナが受信している番組へと切り換えたときに、何ら操作を行うことなく、切り換え前と同じ内容を含む番組を引き続き視聴することが可能になる。
【００２６】
なお、上記データ供給装置は、第２チューナが受信している番組のデータに加えて、データ供給装置が生成したデータを上記データ出力装置に出力させるものであってもよい。これにより、データ出力装置の出力が第２チューナの受信している番組に設定されているときには、番組と共にデータ供給装置が生成したデータが出力される。
【００２７】
したがって、上記データ供給装置のユーザは、データ出力装置の出力が第２チューナの受信している番組に設定されているときには、データ供給装置が生成したデータの閲覧や視聴と番組の視聴とを平行して行うことができる。そして、データ出力装置の出力が第１チューナの受信している番組に設定されているときには、番組のみを集中して視聴することができる。
【００２８】
また、上記連携制御手段は、上記データ供給装置のユーザの所定の入力操作を取得したときに、上記番組切換情報を送信することが好ましい。
【００２９】
上記の構成によれば、ユーザがデータ供給装置に対して所定の入力操作を行うことによって番組切換情報が送信される。そして、第２チューナが受信している番組と同じ内容を含む番組が第１チューナで受信されてデータ出力装置から出力される。
【００３０】
すなわち、上記の構成によれば、ユーザが所定の入力操作を行ったタイミングで、データ出力装置の出力が、第２チューナが受信している番組から第１チューナが受信している番組へと切り換わる。また、このときに第１チューナから出力される番組は、第２チューナが受信している番組と同じ内容を含んでいる。
【００３１】
したがって、ユーザは、所定の入力操作を行うだけで、データ出力装置の出力切り換えを行うことができると共に、出力切り換え後も出力切り換え前と同じ内容を含む番組を視聴することができる。
【００３２】
なお、所定の入力操作の取得は、公知の入力装置等を用いて実現することができる。例えば上記データ供給装置やデータ供給装置を遠隔操作するリモコンに出力切換ボタンを設け、上記連携制御手段が該出力切換ボタンの押下を検知したときに番組切換情報を送信するようにすることができる。
【００３３】
また、上記連携制御手段は、上記データ出力装置から当該データ出力装置の出力するデータが、第２チューナで受信された番組のデータから、第１チューナで受信された番組のデータへと切り換えられたことを示す切換通知情報を受信したときに、上記番組切換情報を送信するものであってもよい。
【００３４】
上記の構成によれば、切換通知情報を受信したデータ供給装置が番組切換情報を送信することにより、第２チューナが受信している番組と同じ内容を含む番組が第１チューナで受信されてデータ出力装置から出力される。
【００３５】
すなわち、上記の構成によれば、データ出力装置の出力するデータが、第２チューナで受信された番組のデータから、第１チューナで受信された番組のデータへと切り換えられたタイミングで、データ出力装置の出力が、第２チューナが受信している番組から第１チューナが受信している番組へと切り換わる。また、このときに第１チューナから出力される番組は、第２チューナが受信している番組と同じ内容を含んでいる。
【００３６】
したがって、ユーザは、データ出力装置の出力を第１チューナが受信している番組へと切り換えるだけで、出力切り換え後も出力切り換え前と同じ内容を含む番組を視聴することができる。
【００３７】
なお、切換通知情報は、例えばユーザがデータ出力装置に対して所定の入力操作を行うことによって、データ出力装置の出力が第２チューナで受信された番組のデータから、第１チューナで受信された番組のデータへと切り換えられた場合に、データ出力装置からデータ供給装置へと切換通知情報が送信されるようにすればよい。
【００３８】
また、上記連携制御手段は、上記番組切換情報と共に、第１チューナが受信する番組の音声モード及び字幕モードの少なくとも一方を指定するモード切換情報を送信することが好ましい。
【００３９】
上記の構成によれば、モード切換信号によって第１チューナが受信する番組の音声モード及び字幕モードの少なくとも一方が指定される。これにより、第１チューナに受信させる番組の音声モード及び字幕モードの少なくとも一方を、第２チューナが受信している番組の音声モード及び字幕モードと一致させることができる。
【００４０】
すなわち、上記の構成によれば、データ出力装置の出力が第２チューナで受信された番組のデータから、第１チューナで受信された番組のデータへと切り換えられた場合に、出力切り換えの前後において音声モード及び字幕モードの少なくとも一方が同じになる。
【００４１】
したがって、ユーザは、データ出力装置の出力が第２チューナで受信された番組のデータから、第１チューナで受信された番組のデータへと切り換えられた場合に、音声モードや字幕モードを再設定する必要がなくなる。
【００４２】
また、本発明に係るデータ供給装置は、上記課題を解決するために、第１チューナ及び第２チューナで受信された番組のデータの少なくとも一方を出力し、上記第１チューナを備えているデータ出力装置にデータを供給するデータ供給装置において、上記第２チューナと、上記データ出力装置が上記第１チューナにて受信して出力していた番組を示す受信番組情報を受信する番組情報受信手段と、上記第２チューナに上記受信番組情報が示す番組のデータを受信させる連携制御手段と、上記第２チューナで受信した番組のデータを上記データ出力装置へ送信する番組データ送信手段とを備えていることを特徴としている。
【００４３】
そして、本発明に係るデータ供給方法は、上記課題を解決するために、第１チューナ及び第２チューナで受信された番組のデータの少なくとも一方を出力し、上記第１チューナを備えているデータ出力装置にデータを供給するデータ供給装置のデータ供給方法において、上記データ出力装置が上記第１チューナにて受信して出力していた番組を示す受信番組情報を受信する番組情報受信ステップと、上記第２チューナに上記受信番組情報が示す番組のデータを受信させる連携制御ステップと、上記第２チューナで受信した番組のデータを上記データ出力装置へ送信する番組データ送信ステップとを含むことを特徴としている。
【００４４】
上記の構成によれば、番組情報受信手段または番組情報受信ステップにて、上記データ出力装置が上記第１チューナにて受信して出力していた番組を示す受信番組情報がデータ供給装置に受信される。そして、該受信された受信番組情報が示す番組のデータは、第２チューナにて受信されてデータ出力装置に送信される。
【００４５】
すなわち、上記の構成によれば、データ出力装置は、第１チューナで受信して出力していた番組と同じ内容を含む、第２チューナが受信した番組を出力することができる。
【００４６】
したがって、上記データ供給装置のユーザは、データ出力装置の出力を第１チューナが受信している番組から第２チューナが受信している番組へと切り換えたときに、切り換え前と同じ内容を含む番組を引き続き視聴することが可能になる。
【００４７】
また、上記連携制御手段は、上記データ供給装置のユーザの所定の入力操作を取得したときに、上記データ出力装置に上記受信番組情報を送信させる受信番組要求情報を送信することが好ましい。
【００４８】
上記の構成によれば、ユーザがデータ供給装置に対して所定の入力操作を行うことによって受信番組要求情報が送信される。そして、第１チューナが受信している番組を示す受信番組情報がデータ供給装置に受信され、第１チューナが受信している番組と同じ内容を含む番組が第２チューナで受信されてデータ出力装置に送信される。
【００４９】
すなわち、上記の構成によれば、ユーザが所定の入力操作を行ったタイミングで、データ出力装置に、第１チューナが受信している番組と同じ内容を含み、第２チューナが受信した番組のデータが送信される。したがって、ユーザは、所定の入力操作を行うだけで、出力切り換え後も出力切り換え前と同じ内容を含む番組を視聴することが可能になる。
【００５０】
また、上記連携制御手段は、上記受信番組情報と共に、第２チューナが受信する番組の音声モード及び字幕モードの少なくとも一方を指定するモード切換情報を受信し、受信したモード切換情報に基づいて第２チューナが受信する番組の音声モード及び字幕モードの少なくとも一方を設定することことが好ましい。
【００５１】
上記の構成によれば、連携制御手段は、受信番組情報と共に受信したモード切換情報に基づいて第２チューナが受信する番組の音声モード及び字幕モードの少なくとも一方を設定する。これにより、第２チューナに受信させる番組の音声モード及び字幕モードの少なくとも一方を、第１チューナが受信している番組の音声モード及び字幕モードと一致させることができる。
【００５２】
すなわち、上記の構成によれば、データ出力装置の出力が第１チューナで受信された番組のデータから、第２チューナで受信された番組のデータへと切り換えられた場合に、出力切り換えの前後において音声モード及び字幕モードの少なくとも一方が同じになる。
【００５３】
したがって、ユーザは、データ出力装置の出力が第１チューナで受信された番組のデータから、第２チューナで受信された番組のデータへと切り換えられた場合に、音声モードや字幕モードを再設定する必要がなくなる。
【００５４】
また、本発明に係るデータ出力装置は、上記課題を解決するために、第１チューナ及び第２チューナで受信された番組の少なくとも一方を出力するデータ出力装置であって、上記第１チューナと、上記第２チューナを備えたデータ供給装置が当該第２チューナにて受信した番組のデータを受信する番組受信手段と、上記番組受信手段がデータ供給装置から受信した番組を示す番組切換情報を受信する番組情報受信手段と、上記番組情報受信手段で受信した番組切換情報が示す番組のデータを上記第１チューナに受信させて、上記番組受信手段で受信した番組のデータの代わりに出力する出力制御手段とを備えていることを特徴としている。
【００５５】
そして、本発明に係るデータ出力方法は、上記課題を解決するために、第１チューナ及び第２チューナで受信された番組の少なくとも一方を出力するデータ出力装置のデータ出力方法であって、上記第２チューナを備えたデータ供給装置が当該第２チューナにて受信した番組のデータを受信する番組受信ステップと、上記番組受信ステップにてデータ供給装置から受信した番組を示す番組切換情報を受信する番組情報受信ステップと、上記番組情報受信ステップにて受信した番組切換情報が示す番組のデータを上記第１チューナに受信させて、上記番組受信手段で受信した番組のデータの代わりに出力する出力制御ステップとを含むことを特徴としている。
【００５６】
上記の構成によれば、データ出力装置は、データ出力装置が備えている第１チューナで受信された番組を出力することができる。また、データ出力装置は、データ供給装置が当該第２チューナにて受信した番組のデータを受信して出力することができる。
【００５７】
ここで、上記の構成によれば、データ出力装置は、データ供給装置から番組切換情報を受信する。そして、該受信した番組切換情報が示す番組のデータを上記第１チューナに受信させて、上記番組受信手段または番組受信ステップにて受信した番組のデータの代わりに出力する。
【００５８】
すなわち、上記の構成によれば、データ出力装置は、データ供給装置から番組切換情報を受信することにより、第２チューナが受信してデータ出力装置から出力していた番組と同じ内容を含む、第１チューナが受信した番組を出力することができる。
【００５９】
したがって、上記データ出力装置のユーザは、データ出力装置の出力を第１チューナが受信している番組から第２チューナが受信している番組へと切り換えたときに、切り換え前と同じ内容を含む番組を引き続き視聴することが可能になる。
【００６０】
また、本発明に係るデータ出力装置は、上記課題を解決するために、第１チューナ及び第２チューナで受信された番組の少なくとも一方を出力するデータ出力装置であって、上記第１チューナと、上記第１チューナにて受信して出力していた番組を示す受信番組情報を送信する受信番組情報送信手段と上記第２チューナを備えたデータ供給装置が当該第２チューナにて受信した番組のデータを受信する番組受信手段と、上記番組受信手段で受信した番組のデータを、上記第１チューナで受信した番組のデータの代わりに出力する出力制御手段とを備えていることを特徴としている。
【００６１】
そして、本発明に係るデータ出力方法は、上記課題を解決するために、第１チューナ及び第２チューナで受信された番組の少なくとも一方を出力するデータ出力装置のデータ出力方法であって、上記第１チューナにて受信して出力していた番組を示す受信番組情報を送信する受信番組情報送信ステップと、上記第２チューナを備えたデータ供給装置が当該第２チューナにて受信した番組のデータを受信する番組受信ステップと、上記番組受信ステップにて受信した番組のデータを、上記第１チューナで受信した番組のデータの代わりに出力する出力制御ステップとを含むことを特徴としている。
【００６２】
上記の構成によれば、データ出力装置は、データ出力装置が備えている第１チューナで受信された番組を出力することができる。また、データ出力装置は、データ供給装置が当該第２チューナにて受信した番組のデータを受信して出力することができる。
【００６３】
ここで、上記の構成によれば、データ出力装置は、データ供給装置に受信番組情報を送信する。これにより、データ供給装置は、データ出力装置が第１チューナで受信して出力していた番組と同じ内容を含む番組を受信してデータ出力装置に送信することができる。そして、データ出力装置は、第１チューナで受信して出力していた番組のデータの代わりに、データ供給装置から送信されたデータを出力する。
【００６４】
すなわち、上記の構成によれば、データ出力装置は、データ供給装置に受信番組情報を送信することにより、第１チューナで受信して出力していた番組と同じ内容を含む、第２チューナが受信した番組を出力することができる。
【００６５】
したがって、上記データ出力装置のユーザは、データ出力装置の出力を第１チューナが受信している番組から第２チューナが受信している番組へと切り換えたときに、切り換え前と同じ内容を含む番組を引き続き視聴することが可能になる。
【００６６】
また、本発明のデータ出力システムは、上記課題を解決するために、上記データ供給装置とデータ出力装置とを含むことを特徴としている。
【００６７】
上記の構成によれば、データ出力装置の出力が、第１チューナが受信している番組から第２チューナが受信している番組へと切り換わったとき、またはデータ出力装置の出力が、第２チューナが受信している番組から第１チューナが受信している番組へと切り換わったときに切り換え前と同じ内容を含む番組を引き続き視聴することが可能になる。
【００６８】
なお、上記データ供給装置及びデータ出力装置は、コンピュータによって実現してもよく、この場合には、コンピュータを上記データ供給装置及びデータ出力装置の各手段として動作させることにより、上記データ供給装置及びデータ出力装置をコンピュータにて実現させるプログラム、及びそれを記録したコンピュータ読み取り可能な記録媒体も本発明の範疇に入る。
【発明の効果】
【００６９】
以上のように、本発明に係るデータ供給装置は、第２チューナと、上記第２チューナで受信した番組のデータを上記データ出力装置へ送信する番組データ送信手段と、第２チューナが受信している番組と同じ内容を含む番組を、上記データ出力装置に上記第１チューナにて受信して出力させる番組切換情報を送信する連携制御手段とを備えているので、データ出力装置の出力を第２チューナが受信している番組から第１チューナが受信している番組へと切り換えたときに、切り換え前と同じ内容を含む番組を引き続き視聴することが可能になるという効果を奏する。
【発明を実施するための最良の形態】
【００７０】
本発明の一実施形態について図１から図９に基づいて説明すると以下の通りである。まず、本実施形態の映像表示システムの概要について図１に基づいて説明する。図１は、映像表示システム１の要部構成を示すブロック図である。図示のように、映像表示システム１は、ＰＣ１１とテレビ２１とを含む構成である。
【００７１】
ＰＣ１１は、汎用のコンピュータであり、図示のように、主制御部１２、補助記憶部１３、ＰＣ側連携制御部（連携制御手段）１４、ＰＣ側通信Ｉ／Ｆ（番組情報受信手段）１５、ワンセグチューナ１６、画像出力制御部１７、及び表示出力Ｉ／Ｆ（番組データ送信手段）１８を備えている。また、図示していないが、ＰＣ１１は例えばマウスやキーボードのような入力装置を備えており、映像表示システム１のユーザは、上記入力装置を用いてＰＣ１１の操作ができるようになっている。
【００７２】
主制御部１２は、ＰＣ１１の機能を統括して制御するものであり、図示のように、中央処理部１２ａ及び主記憶部１２ｂを備えている。主記憶部１２ｂは、図示しないＲＯＭ（Read Only Memory）及びＲＡＭ（Random Access Memory）を備えている。ＲＯＭには、ＰＣ１１が動作する上で最低限必要となるデータ、例えばＢＩＯＳ（basic input output system）のプログラムデータ及びＯＳ（operating system）のプログラムデータ等が記録されている。また、ＲＡＭは、主制御部１２による情報処理が行われる際の作業メモリとして機能する。
【００７３】
すなわち、主制御部１２の機能は、主記憶部１２ｂのＲＡＭを作業メモリとして、中央処理部１２ａがプログラムの実行や演算等を行うことによって実現される。なお、主制御部１２は、図示している以外にも、計時手段（例えば時計）等の中央処理部１２ａがプログラムの実行や演算等を行う際に必要な構成を備えている。
【００７４】
補助記憶部１３は、主記憶部１２ｂの容量を補う等の目的に使用される装置である。補助記憶部１３には、ＰＣ１１が動作するために必要なプログラムやデータ等が記録されている。補助記憶部１３は、プログラムやデータを主制御部１２等のＰＣ１１の各構成要素が読み出し可能に格納できるものであればよい。補助記憶部１３としては、例えばハードディスク等を適用することができる。また、補助記憶部１３は、ＰＣ１１に着脱可能な記録媒体であってもよい。
【００７５】
ＰＣ側連携制御部１４は、ＰＣ１１とテレビ２１との出力切り換えの制御を行う。また、ＰＣ側連携制御部１４は、ワンセグチューナ１６が受信する番組とテレビが受信する番組とを連携させるＰＣ−テレビ連携処理及びテレビ−ＰＣ連携処理を行う。これらの処理の詳細については後述する。
【００７６】
ＰＣ側通信Ｉ／Ｆ１５は、テレビ２１と通信を行うためのインターフェイスである。具体的には、図示のように、ＰＣ側通信Ｉ／Ｆ１５からテレビ２１へとＰＣ１１とテレビ２１とでチャンネルの連携を行うための連携コマンド等が送信される。また、テレビ２１からＰＣ側通信Ｉ／Ｆ１５へと後述するチャンネルコード等が送信される。ここでは、ＰＣ側通信Ｉ／Ｆ１５は、ＨＤＭＩ（High-Definition Multimedia Interface）端子であることを想定している。
【００７７】
なお、ＰＣ１１とテレビ２１との通信方法は特に限定されず、公知の通信方法を適用することができる。例えば、ＲＳ２３２Ｃや、ｉ．Ｌｉｎｋ（登録商標）、Ｂｌｕｅｔｏｏｔｈ（登録商標）、ＺｉｇＢｅｅ（登録商標）、Ｗｉ−Ｆｉ（登録商標）、ＵＷＢ（Ultra Wide Band）、ＩｒＤＡ、などを用いてＰＣ１１とテレビ２１とが通信するようにしてもよく、通信方法に合わせてＰＣ側通信Ｉ／Ｆ１５も適宜変更することが可能である。
【００７８】
ワンセグチューナ１６は、ワンセグ放送を受信するためのチューナである。具体的には、ワンセグチューナ１６は、図示しないアンテナが受信した放送波の中から、ＰＣ側連携制御部１４が指定するチャンネルの電波に復調処理を行って映像データを生成する。そして、ワンセグチューナ１６は、上記生成した映像データを画像出力制御部１７に送る。
【００７９】
なお、ＰＣ１１は、放送を受信するためのチューナを備えていればよく、そのチューナはワンセグチューナ１６に限られない。しかしながら、ＰＣ１１が備えるチューナが出力する映像データは、例えば主制御部１２が実行中のアプリケーションソフトに関連する映像データ等のＰＣ１１が出力するデータと共にＰＣ１１から出力される。したがって、ＰＣ１１及びテレビ２１が映像データの表示に要する処理能力という観点から考えると、ＰＣ１１が備えるチューナが出力する映像データは、データ量が少ない方が好ましい。
【００８０】
そのため、ＰＣ１１は、地上デジタル放送と比べてデータ量が少ないワンセグ放送を受信するワンセグチューナ１６を備えていることが好ましい。また、この観点から、ＰＣ１１が備えるチューナは、携帯受信機向けの放送であるモバイル放送を受信するものであってもよい。さらに、ＰＣ１１が備えるチューナは、ラジオ放送を受信するものであってもよい。この場合には、ラジオ放送の音声等のデータがテレビ２１の図示しないスピーカ等から出力されることになる。
【００８１】
画像出力制御部１７は、ワンセグチューナ１６から受け取った映像データに所定の画像処理を施して表示出力Ｉ／Ｆ１８に送る。具体的には、上記映像データは、所定の方式（例えば、ＭＰＥＧ−２方式や、Ｈ．２６４方式等）で符号化されているので、画像出力制御部１７は、これをデコードして表示出力Ｉ／Ｆ１８に送る。
【００８２】
表示出力Ｉ／Ｆ１８は、画像出力制御部１７から受け取った映像データ等のテレビ２１に出力させるデータをテレビ２１に送信するためのインターフェイスである。以下では、表示出力Ｉ／Ｆ１８からテレビ２１へと送信されるデータをＰＣ出力データと呼ぶ。表示出力Ｉ／Ｆ１８は、映像データをテレビ２１に送信することができるものであれば特に限定されず、ＰＣ側通信Ｉ／Ｆ１５と同様に映像データの送信方法に応じて様々な変形が可能である。また、図１では、説明のため、表示出力Ｉ／Ｆ１８とＰＣ側通信Ｉ／Ｆ１５とを別個のブロックとして記載しているが、表示出力Ｉ／Ｆ１８とＰＣ側通信Ｉ／Ｆ１５とを一体に構成してもよい。
【００８３】
テレビ２１は、放送波を受信して映像を表示する装置であり、図示のように、テレビ側通信Ｉ／Ｆ（番組情報受信手段、受信番組情報送信手段）２２、ＰＣ入力Ｉ／Ｆ（番組受信手段）２３、テレビ側連携制御部（出力制御手段）２４、記憶部２５、デジタルチューナ（第１チューナ）２６、アナログチューナ（第１チューナ）２７、出力切換部２８、画像処理制御部２９、及び表示部３０を備えている。
【００８４】
テレビ側通信Ｉ／Ｆ２２はＰＣ１１と通信を行うためのインターフェイスであり、ＰＣ入力Ｉ／Ｆ２３はＰＣ１１から出力される映像データ等を受け取るインターフェイスである。テレビ側通信Ｉ／Ｆ２２及びＰＣ入力Ｉ／Ｆ２３は、それぞれＰＣ側通信Ｉ／Ｆ１５及び表示出力Ｉ／Ｆ１８と通信可能な構成であればよい。
【００８５】
テレビ側連携制御部２４は、ＰＣ１１とテレビ２１との出力切り換えの制御を行う。また、テレビ側連携制御部２４は、ワンセグチューナ１６が受信する番組とデジタルチューナ２６またはアナログチューナ２７が受信する番組とを連携させるＰＣ−テレビ連携処理及びテレビ−ＰＣ連携処理を行う。これらの処理の詳細については後述する。
【００８６】
記憶部２５は、テレビ２１が動作するために必要なプログラムやデータ等を記憶する装置である。記憶部２５は、プログラムやデータをテレビ側連携制御部２４等のテレビ２１の各構成要素が読み出し可能に格納できるものであればよい。また、記憶部２５には、デジタルチューナ２６またはアナログチューナ２７が受信中の、あるいは最後に受信したチャンネルを示すチャンネル情報を格納するチャンネルメモリが含まれている。
【００８７】
デジタルチューナ２６は、地上デジタル放送を受信するチューナであり、アナログチューナ２７は、地上波アナログ放送を受信するチューナである。以下では、デジタルチューナ２６及びアナログチューナ２７をテレビ側チューナと呼ぶ。また、テレビ側チューナが受信したデータをテレビ受信データと呼ぶ。テレビ側チューナは、図示しないアンテナが受信した放送波の中から、テレビ側連携制御部２４が指定するチャンネルの電波に復調処理を行って映像データを生成する。そして、テレビ側チューナは、上記生成した映像データを出力切換部２８に送る。
【００８８】
なお、本実施形態では、テレビ２１がデジタルチューナ２６とアナログチューナ２７との２つのチューナを備えている例を示しているが、テレビ２１は放送を受信するためのチューナを少なくとも１つ備えていればよい。また、テレビ側チューナは、地上デジタル放送を受信するチューナ及び地上波アナログ放送を受信するチューナに限られない。例えば、テレビ側チューナは、ＢＳチューナやＣＳチューナであってもよい。
【００８９】
出力切換部２８は、表示部３０に出力するデータを切り換えるものである。具体的には、出力切換部２８は、テレビ側連携制御部２４の指示に従って、テレビ側チューナが受信中のテレビ受信データ、またはＰＣ入力Ｉ／Ｆ２３が受信中のＰＣ出力データの何れか一方を画像処理制御部２９に送る。
【００９０】
画像処理制御部２９は、出力切換部２８から受け取った映像データに所定の画像処理を施して表示部３０に出力する。画像処理制御部２９が画像処理を施すことにより、出力切換部２８から受け取った映像データは、表示部３０に表示できる状態となる。
【００９１】
表示部３０は、画像を表示する装置であり、画像処理制御部２９から受け取ったデータに基づいて映像の表示を行う。表示部３０としては、例えばＣＲＴ（Cathode Ray Tube）表示装置、ＬＣ（Liquid Crystal）表示装置、及びＥＬ（Electro Luminescence）表示装置などを適用することができる。
【００９２】
なお、本実施形態では、簡単のため、映像（画像）の出力についてのみ説明するが、音声等のデータについても映像と同様にして出力される。例えば、ＰＣ１１からテレビ２１へと音声データ等のデータが送信された場合に、出力切換部２８がＰＣ１１から受信したデータを出力するように設定されているとき（ＰＣモード）には、上記音声データがテレビ２１の備える図示しないスピーカから出力される。また、出力切換部２８がテレビ受信データを出力するように設定されているとき（テレビモード）には、テレビ受信データに含まれる音声データが上記スピーカから出力される。
【００９３】
〔映像表示処理の流れ〕
映像表示システム１における映像表示処理の流れについて図２に基づいて説明する。図２は、映像表示処理の一例を示すフローチャートである。図示のように、ここではまずＰＣモードに設定されることを想定している（Ｓ１）。なお、ＰＣモードとは、表示部３０にＰＣ１１から送られる映像信号（ＰＣ出力データ）が出力される状態を指す。
【００９４】
ＰＣモードへの設定方法は特に限定されないが、例えば、ＰＣ１１の電源を入れたときにＰＣモードに設定されるようにすればよい。具体的には、ＰＣ１１が起動するとＯＳが起動するので、例えばＰＣ側連携制御部１４が、ＯＳの起動を検知したときにテレビ２１の出力をＰＣ１１に切り換えるように指示するＰＣモード切換信号をＰＣ側通信Ｉ／Ｆ１５を介してテレビ２１に送信するようにすればよい。
【００９５】
また、ＰＣ１１が既に起動している場合には、例えばＰＣ側連携制御部１４が、マウスやキーボード等の入力装置に対して所定の入力操作が行われたことを検知した場合に、上記ＰＣモード切換信号をＰＣ側通信Ｉ／Ｆ１５を介してテレビ２１に送信するようにすればよい。このように、ユーザがＰＣ１１の使用に関連する入力操作を行ったときにＰＣモードに設定されるようにすることで、ユーザはスムーズにＰＣモードへの切り換えを行うことができる。また、例えばＰＣモードへの切り換えを行うための予め定めた入力操作が行われた場合（例えば所定の切り換えボタンが押下された場合）にＰＣモードに設定されるようにしてもよい。
【００９６】
ＰＣモードに設定されると（Ｓ２）、表示部３０は、ＰＣ１１の表示装置として機能する。すなわち、ＰＣモードでは、表示部３０にはＰＣ１１の表示出力Ｉ／Ｆ１８から出力されるＰＣ出力データが表示される。具体的には、表示部３０には、ＰＣ側チューナが受信した放送の映像や、ＰＣ１１で実行される様々なアプリケーションプログラムによって生成される映像等が表示される。
【００９７】
なお、ＰＣ側連携制御部１４は、ＰＣモードに設定されたときに、出力モードがＰＣモードに設定されたことを示すデータを出力するようにしてもよい。例えば、図３に示すように、「ＰＣモードに設定されました」とのテキストを表示部３０に表示させることにより、出力モードがＰＣモードに設定されたことをユーザに認識させることができる。なお、出力モードがＰＣモードに設定されたことを示すデータは、例えば補助記憶部１３に予め格納しておけばよい。そして、例えばＰＣ側連携制御部１４が、ＰＣモード切換信号の送信時に上記データを読み出して表示出力Ｉ／Ｆ１８からテレビ２１に送信すればよい。
【００９８】
なお、出力モードがＰＣモードに設定されたことを示す情報は、ユーザが出力モードの設定がＰＣモードとなったことを認識できるものであればよく、特に限定されない。例えば、音声等で出力モードがＰＣモードに設定されたことをユーザに認識させるものであってもよい。
【００９９】
ＰＣモードでは、ＰＣ側連携制御部１４がテレビモードへの切り換え指示の有無を確認する（Ｓ３）。なお、テレビモードとは、表示部３０にテレビ受信データが出力される状態を指す。一度ＰＣモードに設定された後、ＰＣ側連携制御部１４がテレビモードへの切り換え指示が行われたことを確認するまでの間は、ＰＣモードが継続する。
【０１００】
テレビモードへの設定方法は特に限定されないが、例えば、表示部３０に表示されているＰＣ側チューナが受信した放送の映像に対してマウス等の入力装置で選択操作が行われた場合に、ＰＣ側連携制御部１４がテレビモードへの切り換え指示があったと判断するようにすればよい。また、例えばテレビモードへの切り換えを行うための予め定めた入力操作が行われた場合（例えば所定の切り換えボタンが押下された場合）にテレビモードへの切り換え指示があったと判断するようにしてもよい。
【０１０１】
さらに、ＰＣ側連携制御部１４が、ＰＣ側チューナが受信している番組の内容に基づいてテレビモードに切り換えを行うようにしてもよい。例えば、ＰＣ側連携制御部１４が、ＰＣ側チューナが受信している番組が緊急放送であると判断した場合に、テレビモードに切り換えるようにしてもよい。これにより、緊急放送が表示部３０の全面に表示されることになるので、ユーザは緊急放送を見逃してしまうことがなくなる。
【０１０２】
また、一般に、番組の内容が盛り上がるシーン（例えばスポーツ番組の得点シーン等）では、番組の音量が大きくなる。そこで、例えば、ＰＣ側連携制御部１４が、ＰＣ側チューナが受信している番組の音量が所定値を越えた場合にテレビモードに切り換えるようにしてもよい。これにより、ユーザは、番組の内容が盛り上がるシーンを見逃すことなく、テレビモードで視聴することができる。
【０１０３】
ここで、ＰＣ側連携制御部１４は、テレビモードへの切り換え指示が行われたことを確認すると（Ｓ３でＹｅｓ）、ＰＣ−テレビ連携処理を行う（Ｓ４）。ＰＣ−テレビ連携処理により、ＰＣモードからテレビモードへの切り換えが行われ、テレビ受信データが表示部３０に出力されるようになる。
【０１０４】
ＰＣ−テレビ連携処理の前後において表示部３０に表示される映像の遷移について図４に基づいて説明する。同図（ａ）はＰＣ−テレビ連携処理前に表示部３０に表示される映像の一例を示す図であり、同図（ｂ）はＰＣ−テレビ連携処理後に表示部３０に表示される映像の一例を示す図であり、同図（ｃ）はＰＣ−テレビ連携処理の前後におけるＰＣ１１及びテレビ２１の主な動作を示す図である。
【０１０５】
同図（ａ）に示すように、ＰＣ−テレビ連携処理の前、すなわちＰＣモードでは表示部３０には、ウインドウＷａ及びＷｂが表示されている。ウインドウＷａは、ＰＣ１１がプログラムを実行することより表示されるものであり、図示の例ではウェブページが表示されている。また、ウインドウＷｂには、ワンセグチューナ１６が受信したワンセグ放送が表示されている。ここでは、番組Ａのワンセグ放送がワンセグチューナ１６によって受信されていることを想定しており、そのためＰＣモードでは図示のように番組Ａのワンセグ放送がウインドウＷｂに表示される。
【０１０６】
このときには、同図（ｃ）に示すように、ＰＣ１１は、ＰＣ画面（ウインドウＷａ）の映像信号を出力すると共に、ワンセグ子画面（ウインドウＷｂ）の映像信号を出力している。そして、テレビ２１は、ＰＣ１１から受信した上記映像信号を出力している。これにより、同図（ａ）に示すような映像が表示部３０に表示されることになる。
【０１０７】
ここで、ＰＣ−テレビ連携処理が実行されると、同図（ｂ）に示すように番組Ａの映像が表示部３０に表示される。このときには、同図（ｃ）に示すように、ＰＣ１１は映像信号の出力を行っておらず、テレビ２１はテレビ側チューナ（デジタルチューナ２６またはアナログチューナ２７）が受信した映像信号を出力している。すなわち、同図（ａ）ではＰＣ１１のワンセグチューナ１６で受信した番組Ａが表示されていたのに対し、同図（ｂ）ではテレビ側チューナで受信した番組Ａが表示されている。
【０１０８】
このように、映像表示システム１では、ＰＣ−テレビ連携処理を実行することにより、表示部３０に表示される番組がＰＣモードからテレビモードへの切り換えが行われた場合にも変化することがない。したがって、ユーザは、ＰＣモードからテレビモードへの切り換えを行った場合であっても、切り換え前と同じ番組を中断することなく引き続き視聴することができる。
【０１０９】
テレビモードに設定されると（Ｓ５）、表示部３０は、テレビ２１の表示装置として機能する。すなわち、この場合には、表示部３０にはテレビ側チューナが出力する映像が表示される。具体的には、表示部３０にはデジタルチューナ２６から出力されるデジタル放送の映像、またはアナログチューナ２７から出力されるアナログ放送の映像等が表示される。
【０１１０】
テレビモードにおいても、ＰＣ側連携制御部１４がＰＣモードへの切り換え指示の有無を確認する（Ｓ６）。すなわち、本実施形態の映像表示システム１では、テレビモードからＰＣモードへの切り換え、及びＰＣモードからテレビモードへの切り換えは、何れもＰＣ側連携制御部１４が判断する。ＰＣ側連携制御部１４がＰＣモードへの切り換え指示が行われたことを確認するまでの間は、テレビモードが継続する。テレビモードでは、ユーザは、例えばリモコン等の入力装置を用いてテレビ２１が受信するチャンネルの切り換えを行うことができる。
【０１１１】
ここで、テレビモードにおいてチャンネル切り換えを行ったときに表示部３０に表示される映像の遷移について図５に基づいて説明する。同図（ａ）はチャンネル切り換え前に表示部３０に表示される映像の一例を示す図であり、同図（ｂ）はチャンネル切り換え後に表示部３０に表示される映像の一例を示す図であり、同図（ｃ）はチャンネル切り換えの前後におけるＰＣ１１及びテレビ２１の主な動作を示す図である。
【０１１２】
同図（ａ）に示すように、チャンネル切り換え前の表示部３０には、番組Ａが表示されている。この番組Ａは、テレビ側チューナが受信した番組である。そして、同図（ｂ）に示すように、チャンネル切り換え後の表示部３０には、番組Ｂが表示されている。すなわち、ここでは、番組Ｂへとチャンネルが切り換えられたことを想定している。
【０１１３】
同図（ｃ）に示すように、ＰＣ１１は、チャンネル切り換えの前後を通して映像信号を出力していない。一方、テレビ２１は、チャンネル切り換え前には番組Ａの映像信号を出力しており、チャンネル切り換え後には番組Ｂの映像信号を出力している。これにより、同図（ａ）（ｂ）に示すような映像が表示部３０に表示されることになる。このように、テレビモードにおけるチャンネル切り換えには、ＰＣ１１は関与しておらず、テレビ２１内の処理によって表示部３０に表示される映像が切り換わるようになっている。
【０１１４】
なお、ＰＣモードからテレビモードへの切り換え及びテレビモードからＰＣモードへの切り換えを行うためのモード切り換えボタンは、ＰＣ１１の本体表面や、ＰＣ１１及び／またはテレビ２１を操作するためのリモコン（リモートコントローラ）などに設けておけばよい。
【０１１５】
ここで、ＰＣ側連携制御部１４は、テレビモードへの切り換え指示が行われたことを確認すると（Ｓ６でＹｅｓ）、テレビ−ＰＣ連携処理を行う（Ｓ７）。テレビ−ＰＣ連携処理により、テレビモードからＰＣモードへの切り換えが行われ、ＰＣ１１が出力するデータが表示部３０に出力されるようになる。
【０１１６】
テレビ−ＰＣ連携処理の前後において表示部３０に表示される映像の遷移について図６に基づいて説明する。同図（ａ）はテレビ−ＰＣ連携処理前に表示部３０に表示される映像の一例を示す図であり、同図（ｂ）はテレビ−ＰＣ連携処理後に表示部３０に表示される映像の一例を示す図であり、同図（ｃ）はテレビ−ＰＣ連携処理の前後におけるＰＣ１１及びテレビ２１の主な動作を示す図である。
【０１１７】
同図（ａ）に示すように、テレビ−ＰＣ連携処理前の表示部３０には、テレビ側チューナが出力する番組Ｂの映像が表示されている。ここで、テレビ−ＰＣ連携処理が実行された後には、同図（ｂ）に示すようにウインドウＷａ及びＷｂが表示されている。また、図示のように、ウインドウＷｂには番組Ｂの映像が表示されている。
【０１１８】
ここで、同図（ｃ）に示すように、同図（ａ）の映像が表示部３０に表示されているときには、ＰＣ１１は映像信号の出力を行っておらず、テレビ２１はテレビ側チューナが受信した番組Ｂの映像信号を出力している。一方、同図（ｂ）の映像が表示部３０に表示されているときには、ＰＣ１１は、ＰＣ画面（ウインドウＷａ）の映像信号を出力すると共に、ワンセグ子画面（ウインドウＷｂ）の映像信号を出力している。なお、このときにインドウＷｂに表示される映像は番組Ｂのワンセグ放送である。そして、テレビ２１は、ＰＣ１１から受信した上記映像信号を出力している。
【０１１９】
このように、映像表示システム１では、テレビ−ＰＣ連携処理を実行することにより、表示部３０に表示される番組がテレビモードからＰＣモードへの切り換えが行われた場合にも変化することがない。したがって、ユーザは、テレビモードからＰＣモードへの切り換えを行った場合であっても、切り換え前と同じ番組を中断することなく引き続き視聴することができる。
【０１２０】
テレビ−ＰＣ連携処理が終了すると、処理はＳ２に戻って映像表示システム１は再度ＰＣモードとなる。ここで、ＰＣモードにおいてチャンネル切り換えが行われた場合に表示部３０に表示される映像の遷移について図７に基づいて説明する。同図（ａ）はチャンネル切り換え前に表示部３０に表示される映像の一例を示す図であり、同図（ｂ）はチャンネル切り換え後に表示部３０に表示される映像の一例を示す図であり、同図（ｃ）はチャンネル切り換えの前後におけるＰＣ１１及びテレビ２１の主な動作を示す図である。
【０１２１】
同図（ａ）に示すように、チャンネル切り換え前の表示部３０には、ウインドウＷａ及びＷｂが表示されており、ウインドウＷｂには番組Ｂが表示されている。この番組Ｂは、ＰＣ１１のワンセグチューナ１６で受信した番組である。
【０１２２】
そして、同図（ｂ）に示すように、チャンネル切り換え後の表示部３０には、ウインドウＷａ及びＷｂが表示されており、ウインドウＷｂには番組Ｃが表示されている。すなわち、ここでは、番組Ｃへとチャンネルが切り換えられたことを想定している。なお、ＰＣモードにおけるチャンネルの切り換えは、マウスやキーボードなどのＰＣ１１の入力装置に所定の入力操作があった場合に実行されることを想定している。
【０１２３】
このときには、同図（ｃ）に示すように、テレビ２１は、テレビ側チューナからの映像信号を出力しておらず、ＰＣ１１から受信した映像信号を出力している。そして、ＰＣ１１は、チャンネル切り換え前にはＰＣ画面及び番組Ｂの子画面の映像信号を出力しており、チャンネル切り換え後にはＰＣ画面及び番組Ｃの子画面の映像信号を出力している。これにより、同図（ａ）（ｂ）に示すような映像が表示部３０に表示されることになる。このように、ＰＣモードにおけるチャンネル切り換え時には、テレビ側チューナは関与しておらず、ＰＣ１１内の処理によって表示部３０に表示される映像が切り換わるようになっている。
【０１２４】
〔ＰＣ−テレビ連携処理〕
続いて、図２のフローチャートにおけるＰＣ−テレビ連携処理の流れについて、図８に基づいて説明する。図８は、ＰＣ−テレビ連携処理の一例を示すフローチャートである。ここでは、まずＰＣ１１側の処理の流れについて説明する。上述のように、ＰＣ−テレビ連携処理は、ＰＣ側連携制御部１４がテレビモードへの切り換え指示を確認した場合に実行される。
【０１２５】
切り換え指示を確認したＰＣ側連携制御部１４は、ＰＣ側通信Ｉ／Ｆ１５を介してテレビ２１に、テレビ２１の出力をテレビモードに切り換えさせるテレビモード切換信号（切換情報）を送信する（Ｓ１１）。また、ＰＣ側連携制御部１４は、表示出力Ｉ／Ｆ１８からの映像信号、すなわちＰＣ出力データの出力を停止させる（Ｓ１２）。
【０１２６】
次に、ＰＣ側連携制御部１４は、ＰＣ側チューナ、すなわちワンセグチューナ１６のチャンネル情報を取得し（Ｓ１３）、ＰＣ側通信Ｉ／Ｆ１５を介してテレビ２１にＰＣ側チャンネルコードを送信する（Ｓ１４）。そして、ＰＣ側連携制御部１４は、ワンセグチューナ１６に停止指示を送り、これによりワンセグチューナ１６は、放送の受信を停止する（Ｓ１５）。
【０１２７】
ここで、上記チャンネル情報及びＰＣ側チャンネルコードについて説明する。チャンネル情報とは、ワンセグチューナ１６が受信中のチャンネルを示す情報である。チャンネル情報は、補助記憶部１３に格納されており、チャンネルを切り換えるたびにチャンネル情報は更新される。これにより、補助記憶部１３には、常にワンセグチューナ１６が受信中のチャンネルを示すチャンネル情報が格納されることになる。なお、ＰＣ側連携制御部１４がチャンネル情報を読み出すことができるようになっていれば、チャンネル情報は、どこに格納されていてもよい。例えば、ワンセグチューナ１６に記憶部を設け、ワンセグチューナ１６がチャンネル情報を格納及び更新するようにしてもよい。
【０１２８】
ＰＣ側チャンネルコード（番組切換情報）は、ＰＣ側チューナが受信中のチャンネルを示すコードであり、テレビ側チューナにＰＣ側チューナが受信中のチャンネルを受信させるための情報である。ここで、ＰＣ側チューナとテレビ側チューナとで、同じ番組を受信するためのチャンネルが異なっている場合がある。例えば、ワンセグ放送の番組Ａを受信するためのチャンネルと、地上デジタル放送の番組Ａを受信するチャンネルとは異なっている場合がある。
【０１２９】
このような場合には、ＰＣ側連携制御部１４は、ＰＣ側チューナのチャンネルとテレビ側チューナのチャンネルとの対応関係を示すチャンネル対応情報に基づいて、ＰＣ側チューナが受信中のチャンネルに対応するテレビ側のチャンネルを決定する。そして、ＰＣ側連携制御部１４は、上記決定したチャンネルをＰＣ側チャンネルコードとしてＰＣ側通信Ｉ／Ｆ１５を介してテレビ２１へと送信する。
【０１３０】
なお、ＰＣ側チューナが受信する放送波とテレビ側チューナが受信する放送波とは、互いに異なる。したがって、ＰＣ側チューナが受信する番組とテレビ側チューナが受信する番組とは同じ、あるいは関連した内容を含むものであればよく、完全に同じである必要はない。例えば、ワンセグ放送の番組と地上デジタル放送の番組とは互いに対応しているので、対応する番組を受信するようにすればよい。また、例えば、ユーザが、ある放送局が放送するスポーツ中継を視聴している場合に、切り換え後に出力される番組は、上記と同じスポーツ中継を放送している番組であればよく、必ずしも上記と同じ放送局が放送する番組でなくてもよい。
【０１３１】
また、上記チャンネル対応情報は、ＰＣ側連携制御部１４が参照できるようになっていればよい。例えば、補助記憶部１３にチャンネル対応情報をテーブルデータとして格納しておいてもよい。そして、チャンネル対応情報がＰＣ側チューナの受信した放送波に含まれている場合には、ＰＣ側連携制御部１４が放送波（ＰＣ側チューナが出力するデータ）からチャンネル対応情報を読み出すようにしてもよい。
【０１３２】
さらに、上記のようなチャンネル対応情報を用いずに、チャンネル情報からＰＣ側チャンネルコードを決定することもできる。例えば、ＰＣ側チューナとテレビ側チューナとで、同じ番組が同じチャンネルで受信できる場合には、ＰＣ側連携制御部１４は、チャンネル情報をそのままＰＣ側チャンネルコードとしてテレビ２１に送信すればよく、チャンネル対応情報を用いる必要はない。また、チャンネル情報がＰＣ側チューナの受信中の番組を示す番組コードや、受信中の放送局を示す放送局コードである場合にも、ＰＣ側連携制御部１４は、チャンネル情報をそのままＰＣ側チャンネルコードとしてテレビ２１に送信すればよい。
【０１３３】
次に、テレビ側の処理の流れについて説明する。ＰＣ側連携制御部１４がＰＣ側通信Ｉ／Ｆ１５を介して送信したテレビモード切換信号は、テレビ側通信Ｉ／Ｆ２２を介してテレビ側連携制御部２４に送られる。テレビ側連携制御部２４は、テレビモード切換信号を受信すると（Ｓ２１）、出力切換部２８に指示して表示部３０への出力をテレビ側チューナに設定させる（Ｓ２２）と共に、テレビ側チューナ（デジタルチューナ２６またはアナログチューナ２７）を起動させる（Ｓ２３）。
【０１３４】
ここで、ＰＣ側の処理のＳ１４にてＰＣ側通信Ｉ／Ｆ１５を介してテレビ２１へとチャンネルコード（ＰＣ側チャンネルコード）が送信される。そして、送信されたＰＣ側チャンネルコードはテレビ側通信Ｉ／Ｆ２２を介してテレビ側連携制御部２４に受信される。テレビ側連携制御部２４は、ＰＣ側チャンネルコードを受信すると（Ｓ２４）、受信したＰＣ側チャンネルコードに基づいてチャンネル設定を行う（Ｓ２５）。具体的には、テレビ側連携制御部２４は、ＰＣ側チャンネルコードが示す番組をテレビ側チューナに受信させる。
【０１３５】
これにより、テレビ側チューナが受信した番組が映像信号として出力切換部２８に送られる。ここで、出力切換部２８は、上記Ｓ２２で表示部３０への出力をテレビ側チューナに設定している。したがって、上記映像信号は、出力切換部２８を通過して画像処理制御部２９で所定の画像処理を施された後、表示部３０に出力されることになる（Ｓ２６）。
【０１３６】
なお、出力切換部２８への出力切り換え指示は、Ｓ２１以後かつＳ２６以前であればＰＣ−テレビ連携処理のどのタイミングで行ってもよい。ここで、図８のフローチャートでは、出力がテレビ２１に設定されるＳ２２から、テレビ側チューナからの映像が出力されるＳ２６までの間には、表示部３０に映像が出力されない。そこで、ＰＣ側連携制御部１４は、例えば、映像信号出力を停止するＳ１２を、ＰＣ側チューナの停止を行うＳ１５の後に行うようにすればよい。そして、テレビ側連携制御部２４は、Ｓ２６でテレビ側チューナからの映像が出力される直前に出力切換部２８への出力切り換え指示を行うようにすればよい。これにより、表示部３０に映像が出力されない時間を短縮、あるいはゼロにすることができる。
【０１３７】
〔テレビ−ＰＣ連携処理〕
続いて、図２のフローチャートにおけるテレビ−ＰＣ連携処理の流れについて、図９に基づいて説明する。図９は、テレビ−ＰＣ連携処理の一例を示すフローチャートである。ここでは、まずＰＣ側の処理の流れについて説明する。上述のように、テレビ−ＰＣ連携処理は、ＰＣ側連携制御部１４がＰＣモードへの切り換え指示を確認した場合に実行される。
【０１３８】
切り換え指示を確認したＰＣ側連携制御部１４は、ＰＣ側通信Ｉ／Ｆ１５を介してテレビ２１にＰＣモード切換信号を送信する（Ｓ３１）。また、ＰＣ側連携制御部１４は、ＰＣ側チューナ、すなわちワンセグチューナ１６を起動させる（Ｓ３２）。
【０１３９】
次に、ＰＣ側連携制御部１４は、ＰＣ側通信Ｉ／Ｆ１５を介してテレビ２１にチャンネル要求信号（受信番組要求情報）を送信する（Ｓ３３）。なお、チャンネル要求信号とは、テレビ２１で視聴中の番組のチャンネルをＰＣ１１に送信するように要求する信号である。チャンネル要求信号を送信すると、テレビ２１からテレビ側通信Ｉ／Ｆ２２及びＰＣ側通信Ｉ／Ｆ１５を介してテレビ２１で視聴中の番組のチャンネルを示すテレビ側チャンネルコード（受信番組情報）が返送される。
【０１４０】
ＰＣ側連携制御部１４は、チャンネルコード（テレビ側チャンネルコード）を受信する（Ｓ３４）と、受信したテレビ側チャンネルコードに基づいてチャンネル設定を行う（Ｓ３５）。具体的には、ＰＣ側連携制御部１４は、テレビ側チャンネルコードが示す番組をＰＣ側チューナに受信させる。これにより、ＰＣ側チューナが受信した番組は、映像信号として画像出力制御部１７に送られて所定の処理を施された後、表示出力Ｉ／Ｆ１８を介してテレビ２１へと送られる（Ｓ３６）。
【０１４１】
次に、テレビ側の処理の流れについて説明する。ＰＣ側連携制御部１４がＰＣ側通信Ｉ／Ｆ１５を介してテレビ２１に送信したＰＣモード切換信号は、テレビ側通信Ｉ／Ｆ２２を介してテレビ側連携制御部２４に受信される。テレビ側連携制御部２４は、ＰＣモード切換信号を受信すると（Ｓ４１）、出力切換部２８に指示して表示部３０への出力をＰＣ入力Ｉ／Ｆ２３に設定させる（Ｓ４２）。また、テレビ側連携制御部２４は、テレビ側チューナを停止させる（Ｓ４３）。
【０１４２】
ここで、ＰＣ側の処理のＳ３３にてＰＣ側通信Ｉ／Ｆ１５を介してテレビ２１にチャンネル要求信号が送信されるので、上記送信されたチャンネル要求信号はテレビ側通信Ｉ／Ｆ２２を介してテレビ側連携制御部２４に受信される。テレビ側連携制御部２４は、チャンネル要求信号を受信すると（Ｓ４４）、記憶部２５のチャンネルメモリからテレビ側チャンネルコードを読み出し、読み出したテレビ側チャンネルコードをテレビ側通信Ｉ／Ｆ２２を介してＰＣ１１に送信する（Ｓ４５）。
【０１４３】
なお、テレビ側チャンネルコードは、テレビ側チューナが受信中のチャンネルを示すコードであり、記憶部２５のチャンネルメモリに格納されている。ここで、上述のように、ＰＣ側チューナとテレビ側チューナとで、同じ番組を受信するためのチャンネルが異なっている場合がある。
【０１４４】
このような場合には、ＰＣ側連携制御部１４は、ＰＣ側チューナとテレビ側チューナとのチャンネルの対応関係を示すチャンネル対応情報に基づいて、受信したテレビ側チャンネルコードに対応するＰＣ側のチャンネルを決定する。
【０１４５】
なお、ＰＣ側チューナとテレビ側チューナとで同じ番組が同じチャンネルで受信できる場合や、テレビ側チャンネルコードがテレビ側チューナの受信中の番組を示す番組コードや、受信中の放送局を示す放送局コードである場合には、ＰＣ側連携制御部１４は、受信したテレビ側チャンネルコードに従ってＰＣ側チューナの受信チャンネルを決定すればよく、チャンネル対応情報を用いる必要はない。
【０１４６】
そして、上述のように、Ｓ４５で送信したテレビ側チャンネルコードに基づいてＰＣ１１のチャンネル設定が行われ（Ｓ３５）、チャンネル設定後の番組を含む映像信号が表示出力Ｉ／Ｆ１８を介してテレビ２１へと送られる（Ｓ３６）。この映像信号は、ＰＣ入力Ｉ／Ｆ２３を介して出力切換部２８に送られる。ここで、出力切換部２８は、上記Ｓ４２で表示部３０への出力をＰＣ入力Ｉ／Ｆ２３に設定している。したがって、上記映像信号は、出力切換部２８を通過して画像処理制御部２９で所定の画像処理を施された後、表示部３０に出力されることになる（Ｓ４６）。
【０１４７】
〔実施の形態２〕
上記実施形態では、ＰＣ側連携制御部１４の主導でＰＣ−テレビ連携処理及びテレビ−ＰＣ連携処理を行う例を示した。具体的には、ＰＣ側連携制御部１４がテレビモード切換信号、ＰＣモード切換信号、及びチャンネル要求信号等を送信することによって、上記処理が実行される態様を示した。しかしながら、ＰＣ−テレビ連携処理及びテレビ−ＰＣ連携処理は、テレビ側連携制御部２４の主導で上記処理を行うようにしてもよい。以下では、テレビ側連携制御部２４の主導で上記処理を行う例について図１０及び図１１に基づいて説明する。なお、上記実施形態と同様の処理及び構成については同一の参照符号を付してその説明を省略する。
【０１４８】
本実施形態の映像表示システムは、上記実施形態と同様の構成を備えている。また、本実施形態の映像表示システムにおける映像表示処理は、図２のフローチャートに示す処理の流れと同様である。そこで、以下では、上記実施形態と本実施形態との相違点である、ＰＣ側連携制御部１４及びテレビ側連携制御部２４の動作、ＰＣ−テレビ連携処理及びテレビ−ＰＣ連携処理について説明する。
【０１４９】
〔ＰＣ−テレビ連携処理〕
図１０は、本実施形態のＰＣ−テレビ連携処理の一例を示すフローチャートである。ここでは、まずＰＣ側の処理の流れについて説明する。なお、上記実施形態と異なり、本実施形態のＰＣ−テレビ連携処理は、テレビ側連携制御部２４がテレビモードへの切り換え指示を確認した場合に実行される。
【０１５０】
テレビ側連携制御部２４は、テレビモードへの切り換え指示を確認すると、テレビモードへの切り換えを伝えるテレビモード切換信号をテレビ側通信Ｉ／Ｆ２２を介してＰＣ１１に送信する。そして、ＰＣ側連携制御部１４は、上記テレビモード切換信号をＰＣ側通信Ｉ／Ｆ１５を介して受信する（Ｓ５１）。テレビモード切換信号を受信したＰＣ側連携制御部１４は、表示出力Ｉ／Ｆ１８に指示して映像信号の出力を停止させる（Ｓ１２）。
【０１５１】
ここで、テレビ側の処理のＳ６３にてテレビ側通信Ｉ／Ｆ２２を介してチャンネル要求信号が送信される（後述）ので、上記送信されたチャンネル要求信号はＰＣ側通信Ｉ／Ｆ１５を介してＰＣ側連携制御部１４に受信される。ＰＣ側連携制御部１４は、チャンネル要求信号を受信すると（Ｓ５２）、補助記憶部１３からＰＣ側チューナのチャンネル情報を取得し（Ｓ１３）、ＰＣ側チューナで受信中の番組を示すＰＣ側チャンネルコードをＰＣ側通信Ｉ／Ｆ１５を介してテレビ２１に送信する（Ｓ１４）。そして、ＰＣ側連携制御部１４は、ＰＣ側チューナに停止指示を送り、これによりＰＣ側チューナはワンセグ放送の受信を停止する（Ｓ１５）。
【０１５２】
次に、テレビ側の処理の流れについて説明する。テレビモード切り換え指示を確認したテレビ側連携制御部２４は、テレビ側通信Ｉ／Ｆ２２を介してテレビモード切換信号を送信する（Ｓ６１）と共に、テレビ側チューナを起動させる（Ｓ２３）。また、テレビ側連携制御部２４は、出力切換部２８に指示して表示部３０への出力をテレビ側チューナに設定させる。そして、テレビ側連携制御部２４は、チャンネル要求信号をテレビ側通信Ｉ／Ｆ２２を介してＰＣ１１へと送信する（Ｓ６２）。
【０１５３】
ここで、ＰＣ側の処理のＳ１４にてＰＣ側通信Ｉ／Ｆ１５を介してＰＣ側チャンネルコードがテレビ２１へと送信される。そして、上記送信されたＰＣ側チャンネルコードはテレビ側通信Ｉ／Ｆ２２を介してテレビ側連携制御部２４に受信される。テレビ側連携制御部２４は、ＰＣ側チャンネルコードを受信すると（Ｓ２４）、受信したＰＣ側チャンネルコードに基づいてチャンネル設定を行う（Ｓ２５）。
【０１５４】
これにより、テレビ側チューナが受信した番組が映像信号として出力切換部２８に送られる。ここで、上記Ｓ６１で出力切換部２８から表示部３０への出力をテレビ側チューナに設定している。したがって、上記映像信号は、出力切換部２８を通過して画像処理制御部２９で所定の画像処理を施された後、表示部３０に出力されることになる（Ｓ２６）。
【０１５５】
〔テレビ−ＰＣ連携処理〕
図１１は、本実施形態のテレビ−ＰＣ連携処理の一例を示すフローチャートである。ここでは、まずＰＣ側の処理の流れについて説明する。なお、上記実施形態と異なり、本実施形態のテレビ−ＰＣ連携処理は、テレビ側連携制御部２４がＰＣモードへの切り換え指示を確認した場合に実行される。すなわち、本実施形態の映像表示システムでは、テレビモードからＰＣモードへの切り換え、及びＰＣモードからテレビモードへの切り換えの有無は、何れもテレビ側連携制御部２４が判断する。
【０１５６】
テレビ側連携制御部２４は、ＰＣモードへの切り換え指示を確認すると、ＰＣモードへの切り換えを伝えるＰＣモード切換信号をテレビ側通信Ｉ／Ｆ２２を介してＰＣ１１に送信する。そして、ＰＣ側連携制御部１４は、上記テレビモード切換信号をＰＣ側通信Ｉ／Ｆ１５を介して受信する（Ｓ７１）。
【０１５７】
ＰＣモード切換信号を受信したＰＣ側連携制御部１４は、ＰＣ側チューナを起動させる（Ｓ３２）。続いて、テレビ側の処理のＳ４５（後述）にてテレビ側通信Ｉ／Ｆ２２を介してＰＣ１１へとテレビ側チャンネルコードが送信される。そして、上記送信されたテレビ側チャンネルコードはＰＣ側通信Ｉ／Ｆ１５を介してＰＣ側連携制御部１４に受信される（Ｓ３４）。
【０１５８】
ＰＣ側連携制御部１４は、テレビ側チャンネルコードを受信すると、受信したテレビ側チャンネルコードに基づいてチャンネル設定を行う（Ｓ３５）。そして、ＰＣ側チューナが受信した番組は、映像信号として画像出力制御部１７に送られて所定の処理を施された後、表示出力Ｉ／Ｆ１８を介してテレビ２１へと送られる（Ｓ３６）。
【０１５９】
次に、テレビ側の処理の流れについて説明する。テレビ側連携制御部２４は、ＰＣモードへの切り換え指示を確認すると、ＰＣモードへの切り換えを伝えるＰＣモード切換信号をテレビ側通信Ｉ／Ｆ２２を介してＰＣ１１に送信する（Ｓ８１）と共に、出力切換部２８に指示して表示部３０への出力をＰＣ入力Ｉ／Ｆ２３に設定させる。また、テレビ側連携制御部２４は、テレビ側チューナを停止させる（Ｓ４３）。
【０１６０】
そして、テレビ側連携制御部２４は、記憶部２５のチャンネルメモリからテレビ側チャンネルコードを読み出し、読み出したテレビ側チャンネルコードをテレビ側通信Ｉ／Ｆ２２を介してＰＣ１１に送信する（Ｓ４５）。
【０１６１】
これにより、ＰＣ側チューナが受信した番組を含む映像信号が表示出力Ｉ／Ｆ１８及びＰＣ入力Ｉ／Ｆ２３を介して出力切換部２８に送られる。ここで、出力切換部２８は、上記Ｓ８１で表示部３０への出力をＰＣ入力Ｉ／Ｆ２３に設定している。したがって、上記映像信号は、出力切換部２８を通過して画像処理制御部２９で所定の画像処理を施された後、表示部３０に出力されることになる（Ｓ４６）。
【０１６２】
以上のように、本実施形態の映像表示システムにおいても、上記実施形態と同様に、表示部３０に表示される番組がテレビモードからＰＣモードへの切り換えが行われた場合にも、ＰＣモードからテレビモードへの切り換えが行われた場合にも変化することがない。したがって、ユーザは、テレビモードとＰＣモードとを互いに切り換えた場合であっても、切り換え前と同じ番組を中断することなく引き続き視聴することができる。
【０１６３】
〔変形例〕
上述のように、本発明の映像表示システムによれば、ＰＣ１１とテレビ２１との出力切り換え時に、ユーザが何ら操作を行うことなく、同じ番組を引き続き視聴することができる。ここで、ユーザがＰＣモードあるいはテレビモードで視聴していた番組が字幕放送等であった場合には、ＰＣ１１とテレビ２１との出力切り換え後の字幕モード及び音声モードが出力切り換え前の字幕モード及び音声モードと異なることも考えられる。
【０１６４】
例えば、ユーザがテレビモードにて日本語字幕の英語音声で番組を視聴していた場合に、ＰＣモードに切り換えを行うことにより、ＰＣ１１から英語字幕の日本語音声で同じ番組が出力されることも考えられる。このような場合には、ユーザは、出力切り換え後に字幕モードや音声モードを変更する必要があり、番組の視聴が妨げられてしまう。
【０１６５】
そこで、例えば、ＰＣ１１とテレビ２１との出力切り換え時に、字幕モードや音声モード等を指定するモード切換情報をチャンネルコードと共に送信するようにしてもよい。これにより、ＰＣ１１とテレビ２１との出力切り換えの前後で字幕モードや音声モード等も同じにすることができる。具体的には、ＰＣ１１が受信中の番組の字幕モード及び音声モードの少なくとも一方を指定するモード切換情報をテレビ２１に送信することにより、テレビ２１が受信する番組の字幕モード及び音声モードの少なくとも一方をＰＣ１１が受信中の番組と同じにすることができる。同様に、テレビ２１が受信中の番組の字幕モード及び音声モードの少なくとも一方を指定するモード切換情報をＰＣ１１に送信することにより、テレビ２１とＰＣ１１との字幕モード及び音声モードの少なくとも一方を同じにすることができる。
【０１６６】
また、番組においてどの時間にどのようなシーンが含まれているかを示すシナリオ情報が利用できる場合には、このシナリオ情報を用いてＰＣ１１とテレビ２１との出力切り換えを行うようにしてもよい。なお、シナリオ情報のＰＣ１１及びテレビ２１への供給方法は、特に限定されない。例えば、番組と共に放送波の形態で供給するようにしてもよいし、インターネット等の他の通信ネットワークを介して供給するようにしてもよい。
【０１６７】
例えば、上記シナリオ情報を参照することにより、番組のどの時間帯にコマーシャルが挿入されているかを判別することができる。これを利用して、ＰＣ側連携制御部１４またはテレビ側連携制御部２４が、コマーシャルが放送されている時間帯にはＰＣモードに切り換えを行い、番組の本編が放送されている時間帯にはテレビモードに切り換えを行うようにしてもよい。これにより、ユーザは、番組の本編をテレビモードで集中して視聴することができ、コマーシャルはＰＣ１１の操作を行いながら視聴することができる。
【０１６８】
また、例えば、上記シナリオ情報を参照することにより、番組のどの時間帯にどのタレントが登場するかを判別したり、番組のどの時間帯にどのようなシーンが含まれているかを判別したりすることができる。これを利用して、ＰＣ側連携制御部１４またはテレビ側連携制御部２４が、ユーザが予め登録したタレントが登場する時間帯や、ユーザの嗜好を示す嗜好情報にマッチするシーンが放送される時間帯にはテレビモードに切り換えを行うようにしてもよい。これにより、ユーザは、ユーザの嗜好に応じた場面をテレビモードで集中して視聴することができる。
【０１６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７０】
最後に、ＰＣ１１及びテレビ２１の各ブロック、特にＰＣ側連携制御部１４及びテレビ側連携制御部２４は、ハードウェアロジックによって構成してもよいし、次のようにＣＰＵを用いてソフトウェアによって実現してもよい。
【０１７１】
すなわち、ＰＣ１１及びテレビ２１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるＰＣ１１及びテレビ２１の制御プログラムのプログラムコード（実行形式プログラム、中間コードプログラム、ソースプログラム）をコンピュータで読み取り可能に記録した記録媒体を、上記ＰＣ１１及びテレビ２１に供給し、そのコンピュータ（またはＣＰＵやＭＰＵ）が記録媒体に記録されているプログラムコードを読み出し実行することによっても、達成可能である。
【０１７２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７３】
また、ＰＣ１１及びテレビ２１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７４】
ＰＣとテレビとを含むシステムに限られず、データを出力するデータ出力装置と、該データ出力装置にデータを供給するデータ供給装置とを含むシステムであれば本発明を適用することができる。
【０１７５】
例えば、データ出力装置がテレビ放送を受信するテレビ受信装置であり、データ供給装置がラジオ放送を受信して上記テレビ受信装置のスピーカから上記受信したラジオ放送を出力させるラジオ受信機であってもよい。なお、この場合には、テレビ放送の番組とラジオ放送の番組とは同じではないので、連携処理の際には同じ内容を含む番組を受信するようにすればよい。例えば、テレビ放送で野球中継を視聴していた場合に、ラジオ出力に切り換えたときには、テレビ放送で視聴していた野球中継のラジオ放送を受信するようにすればよい。
【図面の簡単な説明】
【０１７６】
【図１】本発明の実施形態を示すものであり、映像表示システムの要部構成を示すブロック図である。
【図２】上記映像表示システムが実行する映像表示処理の一例を示すフローチャートである。
【図３】上記映像表示システムにおいて、出力モードがＰＣモードに設定されたことを示すデータの一例を示す図である。
【図４】本発明の実施形態を示すものであり、同図（ａ）はＰＣ−テレビ連携処理前に表示部に表示される映像の一例を示す図であり、同図（ｂ）はＰＣ−テレビ連携処理後に表示部に表示される映像の一例を示す図であり、同図（ｃ）はＰＣ−テレビ連携処理の前後におけるＰＣ及びテレビの主な動作を示す図である。
【図５】本発明の実施形態を示すものであり、同図（ａ）はチャンネル切り換え前に表示部に表示される映像の一例を示す図であり、同図（ｂ）はチャンネル切り換え後に表示部に表示される映像の一例を示す図であり、同図（ｃ）はチャンネル切り換えの前後におけるＰＣ及びテレビの主な動作を示す図である。
【図６】本発明の実施形態を示すものであり、同図（ａ）はテレビ−ＰＣ連携処理前に表示部に表示される映像の一例を示す図であり、同図（ｂ）はテレビ−ＰＣ連携処理後に表示部に表示される映像の一例を示す図であり、同図（ｃ）はテレビ−ＰＣ連携処理の前後におけるＰＣ及びテレビの主な動作を示す図である。
【図７】本発明の実施形態を示すものであり、同図（ａ）はチャンネル切り換え前に表示部に表示される映像の一例を示す図であり、同図（ｂ）はチャンネル切り換え後に表示部に表示される映像の一例を示す図であり、同図（ｃ）はチャンネル切り換えの前後におけるＰＣ及びテレビの主な動作を示す図である。
【図８】上記映像表示システムにおけるＰＣ−テレビ連携処理の一例を示すフローチャートである。
【図９】上記映像表示システムにおけるテレビ−ＰＣ連携処理の一例を示すフローチャートである。
【図１０】上記とは別の映像表示システムにおけるＰＣ−テレビ連携処理の一例を示すフローチャートである。
【図１１】上記とは別の映像表示システムにおけるテレビ−ＰＣ連携処理の一例を示すフローチャートである。
【図１２】従来技術を示すものであり、同図（ａ）はＰＣが受信した番組の映像が表示された状態を示す図であり、同図（ｂ）はテレビが受信した番組の映像が表示された状態を示す図であり、同図（ｃ）はテレビが受信した番組が切り換えられた後の表示状態を示す図である。
【図１３】従来技術を示すものであり、同図（ａ）はテレビが受信した番組の映像が表示された状態を示す図であり、同図（ｂ）はＰＣが受信した番組の映像が表示された状態を示す図であり、同図（ｃ）はＰＣが受信した番組が切り換えられた後の表示状態を示す図である。
【符号の説明】
【０１７７】
１      映像表示システム（データ出力システム）
１１    ＰＣ（データ供給装置）
１４    ＰＣ側連携制御部（連携制御手段）
１５    ＰＣ側通信Ｉ／Ｆ（番組情報受信手段）
１６    ワンセグチューナ（第２チューナ）
１８    表示出力Ｉ／Ｆ（番組データ送信手段）
２１    テレビ（データ出力装置）
２２    テレビ側通信Ｉ／Ｆ（番組情報受信手段、受信番組情報送信手段）
２３    ＰＣ入力Ｉ／Ｆ（番組受信手段）
２４    テレビ側連携制御部（出力制御手段）
２６    デジタルチューナ（第１チューナ）
２７    アナログチューナ（第１チューナ）
【図１】
0004399487.tif 000002
【図２】
0004399487.tif 000003
【図３】
0004399487.tif 000004
【図４】
0004399487.tif 000005
【図５】
0004399487.tif 000006
【図６】
0004399487.tif 000007
【図７】
0004399487.tif 000008
【図８】
0004399487.tif 000009
【図９】
0004399487.tif 000010
【図１０】
0004399487.tif 000011
【図１１】
0004399487.tif 000012
【図１２】
0004399487.tif 000013
【図１３】
0004399487.tif 000014